(57)【要約】【課題】両面記録時における画像記録効率の低下や消費電力の増大を伴うことなく、記録面の擦れによる搬送手段の汚れや画像品質の低下を防止可能なインクジェット記録装置を提供する。【解決手段】インクジェット記録装置１００において画像記録を行う場合、搬送ベルト２が反時計回りに回転を開始し、用紙３が給紙トレイ４から搬送ベルト２上へ搬送され、所定のタイミングによりインクジェットヘッド１ａ〜１ｄによって所定のフルカラー画像が記録される。搬送ベルト２の下方には上流側から順にヒータ３１及びスイッチバック装置１３が配置されている。両面記録モードの場合、用紙３は静電吸着により搬送ベルト２に吸着された状態で搬送され、ヒータ３１を通過する際に画像記録面のインクが乾燥された後、スイッチバック装置１３により表裏が反転される。【選択図】図２
2007144830.tif 000002
【特許請求の範囲】
【請求項１】
記録媒体を搬送するループ状の搬送手段と、該搬送手段により搬送される記録媒体表面にインクを吐出するインクジェットヘッドと、記録媒体の搬送方向を切り換えて前記搬送手段に対する記録媒体の表裏を反転させるスイッチバック装置と、を備え、記録媒体の片面に画像記録を行う片面記録モードと記録媒体の両面に画像記録を行う両面記録モードとを実行可能なインクジェット記録装置において、
前記搬送手段に沿って前記インクジェットヘッドの下流側且つ前記スイッチバック装置の上流側に配置され、前記インクジェットヘッドにより記録媒体表面に吐出されたインクの乾燥を行う乾燥手段と、前記搬送手段へ記録媒体を吸着させる吸着手段と、該吸着手段及び前記乾燥手段のＯＮ／ＯＦＦを制御する制御手段と、が設けられており、
前記制御手段は、前記両面記録モードの実行時に、記録媒体を前記搬送手段に吸着させた状態で搬送しながら前記乾燥手段により記録媒体の片面に吐出されたインクを乾燥させた後、前記スイッチバック装置により記録媒体の表裏を反転させて前記インクジェットヘッドに再搬送することを特徴とするインクジェット記録装置。
【請求項２】
前記吸着手段による記録媒体の吸着は、静電吸着若しくは減圧吸着により行われることを特徴とする請求項１に記載のインクジェット記録装置。
【請求項３】
前記制御手段は、前記両面記録モードの実行時に記録媒体の片面に画像が記録されてから記録媒体が前記スイッチバック装置に搬送されるまでの間、前記乾燥手段をＯＮ状態とすることを特徴とする請求項１又は請求項２に記載のインクジェット記録装置。
【発明の詳細な説明】
【技術分野】
【０００１】
本発明は、用紙等の記録媒体にインクを吐出することによって画像記録を行うインクジェット記録装置に関し、特に、記録媒体の両面に画像記録可能なインクジェット記録装置に関する。
【背景技術】
【０００２】
従来、複写機、プリンタ等の電子写真方式を用いた画像形成装置においては、用紙の片面に画像を形成した後、その用紙を排出せずに再度画像形成部に搬送し、他方の面にも画像を形成する両面記録方式のものが広く用いられている。このような両面記録方式の画像形成装置においては、片面に画像が形成された用紙を反転させる反転手段と、反転した用紙を画像形成部へ再搬送する再搬送手段とを備えている。両面記録方式のインクジェット記録装置の概略構成を図５に示す。
【０００３】
図５において、１００はインクジェット記録装置であり、ここでは一例としてカラー印刷を行うカラーインクジェットプリンタを示している。インクジェット記録装置１００内には４つのインクジェットヘッド１ａ、１ｂ、１ｃ及び１ｄが、搬送ベルト２の近傍に配設されている。これらのインクジェットヘッド１ａ〜１ｄは、異なる４色（シアン、マゼンタ、イエロー及びブラック）の画像に対応して設けられており、シアン、マゼンタ、イエロー及びブラックのインクが充填されたインクタンク（図示せず）が搭載されている。
【０００４】
インクジェットヘッド１ａ〜１ｄは、印字幅方向（図の紙面方向）に掛け渡されたガイド軸（図示せず）に沿って往復移動することにより、それぞれシアン、マゼンタ、イエロー及びブラックの画像を順次形成する。なお、インクタンクは各インクジェットヘッド１ａ〜１ｄと一体的に構成しても良いし、インクタンクを分離可能に構成して、インクが無くなった時にインクタンクだけを交換するようにしても構わない。インクジェットヘッド１ａ〜１ｄのインクの吐出方式としては、例えば、図示しないピエゾ素子を用いてインクを押し出すピエゾ方式や、発熱体によって気泡を発生させ、圧力をかけてインクを吐出するサーマルインクジェット方式が挙げられる。
【０００５】
用紙（記録媒体）３は、装置右側の給紙トレイ４内に収容されており、給紙ローラ５及び給紙ローラ５に圧接され従動回転する従動ローラ６を介してループ状の搬送ベルト２上へ供給され、各インクジェットヘッド１ａ〜１ｄの位置へと搬送される。搬送ベルト２には誘電体樹脂製のシートが用いられ、その両端部を互いに重ね合わせて接合しエンドレス形状にしたベルトや、継ぎ目を有しない（シームレス）ベルトが用いられる。
【０００６】
搬送ベルト２は、給紙側（上流側）のベルトローラ７と、排紙側（下流側）のベルトローラ８とに掛け渡されており、搬送ベルト２が反時計回り（図の矢印Ｘ方向）に回転を開始すると、用紙３が給紙トレイ４から搬送ベルト２上へ搬送される。このとき画像書き出し信号がＯＮとなり、所定のタイミングにより最上流側のインクジェットヘッド１ａによりシアンのインクが用紙３上に吐出され、シアンの画像が記録される。以後、上述と同様の方法によりインクジェットヘッド１ｂ〜１ｄによってそれぞれマゼンタ、イエロー及びブラックの画像が記録される。これらの４色の画像は、所定のフルカラー画像形成のために用紙３に対し予め定められた所定の位置関係をもって形成される。
【０００７】
フルカラー画像が記録された用紙３は、複数方向に分岐した分岐部に設けられた分岐部材９により搬送方向が振り分けられる。片面のみに画像を記録する場合（片面記録モード）は、用紙３は搬送ベルト２から離脱しそのまま排出ローラ１０及び従動ローラ１１によって装置本体外に設けられた排紙トレイ１２へと搬送される。
【０００８】
一方、用紙の両面に画像を記録する場合（両面記録モード）は、用紙３は分岐部材９でスイッチバック装置１３方向に振り分けられ、スイッチバック装置１３内のフィードローラ対１４を逆回転させて搬送方向が切り換えられた後、分岐部材９の揺動により画像記録面を搬送ベルト２側に向けた状態で両面搬送路１８へ振り分けられ、搬送ベルト２及び搬送ローラ対１５、１６により画像記録面が下向きの状態でインクジェットヘッド１ａ〜１ｄに再搬送される。そして、次の画像が用紙３の画像が記録されていない側の面（以下、非画像記録面という）に記録された後、搬送ベルト２から離脱して排出ローラ１０及び従動ローラ１１によって排紙トレイ１２に排出される。
【０００９】
両面記録方式の画像形成装置においては、上述したようなスイッチバック装置１３を用いて用紙を反転させ、両面への記録を行うのが一般的であるが、インクジェット記録の場合はインクの乾燥に時間を要するため、フィードローラ対１４や搬送ベルト２によって記録直後の画像が擦られ、フィードローラ対１４や搬送ベルト２にインクが付着したり、画像品質が低下したりするという問題点があった。
【００１０】
そこで、記録面の擦れによる搬送手段の汚れや画像品質の低下を抑制する方法が提案されており、例えば特許文献１には、両面記録時において、片面の記録終了後の用紙を一旦装置本体外に排出して乾燥させた後、再度装置内部へ用紙を送り込むインクジェット記録装置が開示されている。また、特許文献２には、両面記録時において、片面の記録終了後の用紙をスイッチバック位置で所定時間停止させ、用紙に吐出されたインクを乾燥させてから記録部へ再給紙を行うインクジェット記録装置が開示されている。しかしながら、特許文献１、２の方法ではインクを自然乾燥させているため、乾燥時間が長くなって両面記録時の記録効率が低下するという問題点があった。
【００１１】
また、特許文献３には、用紙の両面に記録される画像の範囲や濃度等に基づいて各面のインク乾燥時間を推定し、乾燥時間の短い側の画像から順に記録を行うことにより記録効率を向上させるインクジェットプリンタの両面記録方法が開示されているが、特許文献１、２と同様にインクを自然乾燥させるため記録効率がさほど向上せず、特に両面の乾燥時間が同程度の場合には有効な方法とはいえなかった。また、複数ページの両面記録を行う場合は表裏が逆転した記録用紙が混在して排出されてしまい、ページ番号の整合性がとれなくなるという問題点もあった。
【００１２】
一方、特許文献４には、インクを乾燥させるためのヒータを備えたインクジェットプリンタが開示されているが、特許文献４の方法では両面記録時の記録効率を低下させることなく画質の劣化を防止できる反面、ヒータにより消費電力が増大するため、装置のランニングコスト上昇の原因となる。
【特許文献１】特開２００４−２９１６５４号公報
【特許文献２】特開２００４−２２４０５７号公報
【特許文献３】特開２００５−１２５１号公報
【特許文献４】特開平７−１７４９号公報
【発明の開示】
【発明が解決しようとする課題】
【００１３】
本発明は、上記問題点に鑑み、両面記録時における画像記録効率の低下や消費電力の増大を伴うことなく、記録面の擦れによる搬送手段の汚れや画像品質の低下を防止可能なインクジェット記録装置を提供することを目的とする。
【課題を解決するための手段】
【００１４】
上記目的を達成するために本発明は、記録媒体を搬送するループ状の搬送手段と、該搬送手段により搬送される記録媒体表面にインクを吐出するインクジェットヘッドと、記録媒体の搬送方向を切り換えて前記搬送手段に対する記録媒体の表裏を反転させるスイッチバック装置と、を備え、記録媒体の片面に画像記録を行う片面記録モードと記録媒体の両面に画像記録を行う両面記録モードとを実行可能なインクジェット記録装置において、前記搬送手段に沿って前記インクジェットヘッドの下流側且つ前記スイッチバック装置の上流側に配置され、前記インクジェットヘッドにより記録媒体表面に吐出されたインクの乾燥を行う乾燥手段と、前記搬送手段へ記録媒体を吸着させる吸着手段と、該吸着手段及び前記乾燥手段のＯＮ／ＯＦＦを制御する制御手段と、が設けられており、前記制御手段は、前記両面記録モードの実行時に、記録媒体を前記搬送手段に吸着させた状態で搬送しながら前記乾燥手段により記録媒体の片面に吐出されたインクを乾燥させた後、前記スイッチバック装置により記録媒体の表裏を反転させて前記インクジェットヘッドに再搬送することを特徴としている。
【００１５】
また、本発明は、上記構成のインクジェット記録装置において、前記吸着手段による記録媒体の吸着は、静電吸着若しくは減圧吸着により行われることを特徴としている。
【００１６】
また、本発明は、上記構成のインクジェット記録装置において、前記制御手段は、前記両面記録モードの実行時に記録媒体の片面に画像が記録されてから記録媒体が前記スイッチバック装置に搬送されるまでの間、前記乾燥手段をＯＮ状態とすることを特徴としている。
【発明の効果】
【００１７】
本発明の第１の構成によれば、両面記録モードにおいて記録媒体の片面に吐出されたインクはスイッチバック装置に到達するまでに乾燥手段により乾燥されるため、未乾燥インクによる搬送手段の汚れや画像品質の低下が生じるおそれがなくなる。また、記録媒体の搬送を継続しながらインクの乾燥を行うことができるため、両面記録モードにおける画像記録処理効率を高めることができ、さらに片面記録モードの場合は乾燥手段をＯＦＦ状態にしておくことで画像形成装置の消費電力を低減することができる。
【００１８】
また、本発明の第２の構成によれば、上記第１の構成のインクジェット記録装置において、静電吸着若しくは減圧吸着により記録媒体を搬送手段に吸着させることにより、簡易な構成で搬送手段への記録媒体の吸着を実現することができる。
【００１９】
また、本発明の第３の構成によれば、上記第１又は第２の構成のインクジェット記録装置において、両面記録モードの実行時に乾燥手段のＯＮ状態を必要最小限とすることにより、画像形成装置の消費電力を一層低減することができる。
【発明を実施するための最良の形態】
【００２０】
以下に本発明の実施形態を、図面を参照しながら説明する。図１は、本発明のインクジェット記録装置１の構成を示すブロック図である。従来例の図５と共通する部分には同一の符号を付して説明を省略する。インクジェット記録装置１００には制御部２０が備えられており、制御部２０には、インターフェース２１、ＲＯＭ２２、ＲＡＭ２３、エンコーダ２４、モータ制御回路２５、インクジェットヘッド制御回路２６、及び電圧制御回路２７等が接続されている。
【００２１】
インターフェース２１は、例えば、図示しないパソコン等のホスト装置とデータの送受信を行う。そして、制御部２０は、インターフェース２１を介して受信された画像データに基づいて各種制御回路に制御信号を出力する。
【００２２】
ＲＯＭ２２は、インクジェットヘッド１ａ〜１ｄを駆動させて画像記録を行う際のプログラムや、後述する搬送ベルト２への用紙の吸着やヒータ３１によるインクの乾燥を行う際の制御プログラム等を記憶している。ＲＡＭ２３は、制御部２０がインターフェース２１を介して受信した画像データを所定の領域に格納する。
【００２３】
エンコーダ２４は、搬送ベルト２を駆動する排紙側のベルトローラ８に接続されており、ベルトローラ８の回転軸の回転変位量に応じてパルス列を出力する。制御部２０は、エンコーダ２４から送信されるパルス数をカウントすることで回転量を算出し、用紙の送り量（用紙位置）を把握する。そして制御部２０は、エンコーダ２４からの信号に基づいて、モータ制御回路２５及びインクジェットヘッド制御回路２６に制御信号を出力する。
【００２４】
モータ制御回路２５は、制御部２０からの出力信号により記録媒体搬送用モータ２８とキャリッジ移動用モータ２９を駆動する。記録媒体搬送用モータ２８は駆動してベルトローラ６を回転させ、搬送ベルト２を図５の反時計回りに回動させて用紙を矢印Ｘ方向へと搬送する。また、キャリッジ移動用モータ２９は駆動して、各色のインクジェットヘッド１ａ〜１ｄが搭載されるキャリッジ３０を用紙幅方向に往復運動させる。
【００２５】
インクジェットヘッド制御回路２６は、制御部２０からの出力信号に基づいて、印刷データをインクジェットヘッド１ａ〜１ｄへ転送し、転送された印刷データに基づいてインクジェットヘッド１ａ〜１ｄからのインクの吐出を制御する。かかる制御と、記録媒体搬送用モータ２８によって駆動する搬送ベルト２による用紙の搬送の制御と、キャリッジ移動用モータ２９によるキャリッジ３０の往復運動の制御とにより、用紙への記録処理が行われる。
【００２６】
電圧制御回路２７は、制御部２０からの出力信号に基づいて給紙側のベルトローラ７に電圧を印加することにより交番電界を発生させ、搬送ベルト２に用紙を静電吸着させる。静電吸着の解除は、制御部２０からの出力信号に基づいてベルトローラ７又は８を接地させることにより行われる。また、制御部２０は、用紙上に吐出されたインクを乾燥させるヒータ３１のＯＮ、ＯＦＦ制御も行う。なお、ここでは給紙側のベルトローラ７に電圧を印加する構成としたが、排紙側のベルトローラ８に電圧を印加する構成としても良い。
【００２７】
図２は、本発明のインクジェット記録装置の概略構成を示す側面断面図である。図１及び従来例の図５と共通する部分には同一の符号を付して説明を省略する。本発明においては、搬送ベルト２の下方にヒータ３１を配置し、スイッチバック装置１３をヒータ３１の下流側に配置している。両面記録モードの場合、用紙３は静電吸着により搬送ベルト２に吸着された状態で、画像記録面がヒータ３１に対向するように搬送され、ヒータ３１を通過する際に画像記録面のインクが乾燥される。ヒータ３１としては、赤外線放射式や温風吹き出し式等のように、非接触でインクを乾燥できるタイプのものが好ましい。
【００２８】
この構成により、用紙３がスイッチバック装置１３に到達するまでにヒータ３１によりインクが乾燥されるため、用紙３のスイッチバック時に画像記録面が擦れてフィードローラ対１４や搬送ベルト２を汚染したり、画像品質が低下したりするおそれがなくなる。また、用紙３の搬送を継続しながらインクの乾燥を行うことができるため、両面記録モードにおける記録効率を向上できる。一方、片面記録モードの場合はヒータ３１をＯＦＦ状態にしておくことで、消費電力を低減することができる。
【００２９】
なお、用紙３を搬送ベルト２に吸着させる方法としては静電吸着に限られるものではなく、例えば搬送ベルト２に微細な貫通孔を多数形成し、減圧装置により搬送ベルト２の内側から空気を吸引して用紙３を吸着させる減圧吸着を用いても良い。
【００３０】
図３は、本発明のインクジェット記録装置の動作を示すフローチャートである。図１及び図２を参照しながら、図３のステップに従い画像記録プロセスについて説明する。先ず、ユーザにより画像形成が開始されると（ステップＳ１）、給紙トレイ４から給紙ローラ５及び従動ローラ６により搬送ベルト２上に用紙３が搬送される（図２のＡの位置）。そして、制御部２０から電圧制御回路２７へ制御信号が送信され、給紙側のベルトローラ７に所定の電圧が印加される（ステップＳ２）。これにより、用紙３は搬送ベルト２上に静電吸着される。
【００３１】
用紙３は、搬送ベルト２によりインクジェットヘッド１ａ〜１ｄの位置まで搬送され、インターフェース２１を介して受信された画像データに基づいてインクジェットヘッド１ａ〜１ｄより順次インクが吐出され（ステップＳ３）、用紙３上の所定箇所にフルカラー画像が記録される。
【００３２】
次に、両面記録モードが設定されているか否かが判断され（ステップＳ４）、両面記録モードである場合は、制御部２０からヒータ３１へ制御信号が送信され、ヒータ３１をＯＮにする（ステップＳ５）。そして、用紙３は分岐部（図２のＣの位置）において搬送ベルト２に吸着されたまま下方に搬送され、画像記録面がヒータ３１に向けられた状態でヒータ３１近傍（図２のＤの位置）を通過し、インクの乾燥が行われる（ステップＳ６）。
【００３３】
用紙３がベルトローラ７の手前（図２のＥの位置）を通過すると、制御部２０から電圧制御回路２７及びヒータ３１へ制御信号が送信され、給紙側のベルトローラ７が接地されるとともに（ステップＳ７）ヒータ３１がＯＦＦ状態となる（ステップＳ８）。そして、用紙３は搬送ベルト２から離間し、搬送ローラ対１５及びフィードローラ対１４により一旦スイッチバック装置１３内に搬送される。
【００３４】
次に、フィードローラ対１４が用紙３の後端を保持した状態でフィードローラ対１４を逆転させるとともに、分岐部Ｆに設けられた分岐部材３２を揺動させることにより、用紙３をスイッチバック装置１３内から再び搬送ベルト２上（図２のＢの位置）に搬送するスイッチバックを行う（ステップＳ９）。また、制御部２０から電圧制御回路２７へ制御信号が送信され、ベルトローラ７の接地が解除される（ステップＳ１０）。これにより、用紙３の表裏が反転して画像記録面が下向きの状態で再び搬送ベルト２に吸着される。
【００３５】
そして、用紙３は非画像記録面を上向きにして再びインクジェットヘッド１ａ〜１ｄの位置まで搬送され、画像データに基づいてインクジェットヘッド１ａ〜１ｄより順次インクが吐出され（ステップＳ１１）、用紙３の非画像記録面にフルカラー画像が記録される。その後、制御部２０から電圧制御回路２７へ制御信号が送信され、排紙側のベルトローラ８を接地するとともに（ステップＳ１２）、分岐部Ｃに設けられた分岐部材９を揺動させることにより、用紙３は搬送ベルト２から離間し、排出ローラ１０及び従動ローラ１１により排出トレイ１２上に排出される（ステップＳ１３）。
【００３６】
一方、ステップＳ４において片面記録モードである場合は、用紙３の片面に画像記録を行った後、すぐに排紙側のベルトローラ８を接地させ（ステップＳ１２）、分岐部Ｃに設けられた分岐部材９を揺動させることにより、用紙３は搬送ベルト２から離間し、排出ローラ１０及び従動ローラ１１により排出トレイ１２上に排出される（ステップＳ１３）。
【００３７】
ベルトローラ７、８の接地やヒータ３１のＯＮ／ＯＦＦ制御は、搬送ベルト２に沿って用紙位置を検知する複数の検知センサを設けておき、各検知センサからの信号に基づいて制御する構成としても良いし、給紙開始から用紙が所定位置を通過するまでの基準時間を用紙サイズ毎に予めＲＯＭ２２或いはＲＡＭ２３に記憶しておき、基準時間及び給紙開始からの経過時間に基づいて用紙位置を算出して制御する構成としても良い。
【００３８】
なお、ここでは両面記録モードにおいて、片面の記録が終了した時点でヒータ３１をＯＮし、給紙側のベルトローラ７の接地とともにヒータ３１をＯＦＦとしたが、例えば両面記録モードが設定された時点でヒータ３１をＯＮとしても良く、両面記録が終了して排紙トレイ１２に排紙された時点でヒータ３１をＯＦＦとしても良い。しかし、インクジェット記録装置１００の消費電力を一層低減するためには、ヒータ３１のＯＮ状態を必要最小限とする図３の制御とすることが好ましい。
【００３９】
また、図３ではステップＳ７において給紙側のベルトローラ７を接地し、ステップＳ１２において排紙側のベルトローラ８を接地しているが、ベルトローラ７、８及び搬送ベルト２は電気的に接続されているため、ステップＳ７及びステップＳ１２ではベルトローラ７、８の少なくとも一方を接地すれば搬送ベルト２への用紙の吸着が解除される。
【００４０】
その他、本発明は上記実施形態に限定されず、本発明の趣旨を逸脱しない範囲で種々の変更が可能である。例えば上記実施形態においては、給紙トレイ４から横方向に用紙を搬送するタイプのインクジェット記録装置を例に挙げて説明したが、本発明は図４に示すような、装置下部の給紙トレイ４から装置上面の排出トレイ１に向けて用紙を搬送する縦搬送タイプのインクジェット記録装置にも全く同様に適用可能である。
【００４１】
また、図１ではユーザからの入力をパソコン等の外部からインターフェース２１を介して入力する構成としているが、これに限らず、インクジェット記録装置１００に設けられた操作パネル等を用いて入力する構成としても構わない。また、本発明はインクジェットヘッドが印字幅方向に往復移動するシリアルヘッド方式のインクジェット記録装置に限らず、多数のインクジェットヘッドが所定のピッチで記録幅以上に固定されたラインヘッド方式のインクジェット記録装置にも適用でき、カラーインクジェットプリンタに限らず、ブラックのインクジェットヘッド１ｄのみを備えたモノクロインクジェットプリンタにも適用できるのはもちろんである。
【産業上の利用可能性】
【００４２】
本発明は、記録媒体を搬送するループ状の搬送手段と、該搬送手段により搬送される記録媒体表面にインクを吐出するインクジェットヘッドと、記録媒体の搬送方向を切り換えて搬送手段に対する記録媒体の表裏を反転させるスイッチバック装置と、を備え、記録媒体の片面に画像記録を行う片面記録モードと記録媒体の両面に画像記録を行う両面記録モードとを実行可能なインクジェット記録装置において、搬送手段に沿ってインクジェットヘッドの下流側且つスイッチバック装置の上流側に配置され、インクジェットヘッドにより片面に画像が形成された記録媒体表面の乾燥を行う乾燥手段と、搬送手段へ記録媒体を吸着させる吸着手段と、吸着手段及び乾燥手段のＯＮ／ＯＦＦを制御する制御手段と、が設けられており、制御手段は、両面記録モードの実行時に、記録媒体を搬送手段に吸着させた状態で搬送しながら乾燥手段により表面のインクを乾燥させた後、スイッチバック装置により記録媒体の表裏を反転させてインクジェットヘッドに再搬送する。
【００４３】
これにより、両面記録モードにおいて記録媒体の片面に吐出されたインクは乾燥手段により十分に乾燥された後、下流側のスイッチバック装置に到達するため、画像記録面が乾燥しないうちにスイッチバックされて搬送手段に擦れることによる搬送手段の汚れや画像品質の低下を効果的に抑制するインクジェット記録装置を簡便且つ低コストで提供することができる。また、記録媒体を搬送しながらインクの乾燥を行うため、両面記録モードにおける画像記録処理効率の向上にも貢献する。記録媒体は、静電吸着や減圧吸着といった簡易な構成で搬送手段へ吸着させることができる。
【００４４】
また、片面記録モードの場合は乾燥手段をＯＦＦ状態にしておくことで、インクジェット記録装置の消費電力を低減することができる。さらに、両面記録モード中の乾燥手段のＯＮ時間を片面記録終了時からスイッチバック時までとしておけば、乾燥手段の消費電力を必要最小限とすることができる。
【図面の簡単な説明】
【００４５】
【図１】は、本発明のインクジェット記録装置の構成を示すブロック図である。
【図２】は、本発明のインクジェット記録装置の概略構成を示す側面断面図である。
【図３】は、本発明のインクジェット記録装置の動作を示すフローチャートである。
【図４】は、本発明のインクジェット記録装置の他の構成を示す側面断面図である。
【図５】は、従来のインクジェット記録装置の概略構成を示す側面断面図である。
【符号の説明】
【００４６】
１ａ      インクジェットヘッド（シアン）
１ｂ      インクジェットヘッド（マゼンタ）
１ｃ      インクジェットヘッド（イエロー）
１ｄ      インクジェットヘッド（ブラック）
２        搬送ベルト（搬送手段）
３        用紙（記録媒体）
４        給紙トレイ
７        ベルトローラ（給紙側）
８        ベルトローラ（排紙側）
１２      排紙トレイ
１３      スイッチバック装置
１４      フィードローラ対
２０      制御部（制御手段）
３１      ヒータ（乾燥手段）
１００    インクジェット記録装置
【図１】
2007144830.tif 000003
【図２】
2007144830.tif 000004
【図３】
2007144830.tif 000005
【図４】
2007144830.tif 000006
【図５】
2007144830.tif 000007